(57)【特許請求の範囲】
【請求項１】
可撓性床敷物を裁断して構成されて正方形に縁取られており、
その正方形において隣り合う頂点（Ａ（Ｂ，Ｃ，Ｄ………））と頂点（Ｂ（Ｃ，Ｄ………Ａ））を結ぶ各周辺（Ａ−Ｂ（Ｂ−Ｃ，Ｃ−Ｄ，Ｄ−Ａ………））が、凹部（１２）と凸部（１３）が複数回交互して続く波形曲線を描いており、
その隣り合う凸部（１３）と凸部（１３’）の間に介在する凹部（１２）が、その開口幅（Ｋ）が凹部の谷底（１５）から凸部の頂端（１４）に向けて広がる末広形を形成しており、
その凸部の端縁（３３）が、隣り合う頂点（Ａ（Ｂ，Ｃ，Ｄ………））と頂点（Ｂ（Ｃ，Ｄ………Ａ））を結ぶ各周辺（Ａ−Ｂ（Ｂ−Ｃ，Ｃ−Ｄ，Ｄ−Ａ………））の長さ方向（Ｊ）において凹部の端縁（３２）に密着して凹部（１２）に嵌合する形状になっており、
正方形の頂点（Ａ（Ｂ，Ｃ，Ｄ………））を境に隣り合う２条の周辺（Ｄ−Ａ，Ａ−Ｂ（（Ａ−Ｂ，Ｂ−Ｃ），（Ｂ−Ｃ，Ｃ−Ｄ），（Ｃ−Ｄ，Ｄ−Ａ）………………））の中の１条の周辺（Ｄ−Ａ）を回転移動するとき、その回転移動する周辺（Ｄ−Ａ）の波形曲線が、その隣り合う２条の周辺（Ｄ−Ａ，Ａ−Ｂ）の中の他の１条の周辺（Ａ−Ｂ）の波形曲線に重なり合う形状になっていると同時に、
正方形において隣り合う頂点（Ａ（Ｂ，Ｃ，Ｄ………））と頂点（Ｂ（Ｃ，Ｄ………Ａ））を結ぶ全ての周辺（Ａ−Ｂ（Ｂ−Ｃ，Ｃ−Ｄ，Ｄ−Ａ………））が、直線を描いた部分を含まず、
基布（１６）にパイル糸を係止してパイル（１７）を形成したパイル布帛（１８）によって表面が構成されていることを特徴とするタイルカーペット。
【請求項２】
基布（１６）の幅方向（Ｘ）において隣り合って基布（１６）の長さ方向（Ｙ）に続くパイル列（１９）とパイル列（１９’）の間の間隔（Ｇ）が１３ｍｍ以下であり、
凹部の谷底（１５）から凸部の頂端（１４）に至る波形曲線の振幅（Ｗ）が、２ｍｍ以上１５ｍｍ以下である前掲請求項１に記載のタイルカーペット。
【請求項３】
正方形において隣り合う頂点（Ａ（Ｂ，Ｃ，Ｄ………））と頂点（Ｂ（Ｃ，Ｄ………Ａ））を結ぶ各周辺（Ａ−Ｂ（Ｂ−Ｃ，Ｃ−Ｄ，Ｄ−Ａ………））が、パイル列（１９）に対して、斜め方向に向いた曲線を描いている前掲請求項１又は２に記載のタイルカーペット。
【請求項４】
可撓性床敷物を裁断して構成されて正方形に縁取られており、
その正方形において隣り合う頂点（Ａａ（Ｂａ，Ｃａ，Ｄａ………））と頂点（Ｂａ（Ｃａ，Ｄａ………Ａａ））を結ぶ各周辺（Ａａ−Ｂａ（Ｂａ−Ｃａ，Ｃａ−Ｄａ，Ｄａ−Ａａ………））のうち、向き合う一対の周辺（Ａａ−Ｂａ，Ｃａ−Ｄａ）が弓形に湾曲して突き出た凸部（４３）を形成し、他の向き合う一対の周辺（Ｂａ−Ｃａ，Ｄａ−Ａａ）が弓形に湾曲して窪んだ凹部（４２）を形成しており、
それら向き合う一対の周辺（Ａａ−Ｂ，Ｃａ−Ｄａ）において弓形に湾曲して突き出た凸部（４３）の弓形曲線、および、他の向き合う一対の周辺（Ｂａ−Ｃａ，Ｄａ−Ａａ）において弓形に湾曲して窪んだ凹部（４２）の弓形曲線の各形状が、正方形の頂点（Ａａ（Ｂａ，Ｃａ，Ｄａ………））を境に隣り合う２条の周辺（Ｄａ−Ａａ，Ａａ−Ｂａ（（Ａａ−Ｂａ，Ｂａ−Ｃａ），（Ｂａ−Ｃａ，Ｃａ−Ｄａ），（Ｃａ−Ｄａ，Ｄａ−Ａａ）………………））の中の１条の周辺（Ｄａ−Ａａ）を回転移動するとき、その回転移動する周辺（Ｄａ−Ａａ）の弓形曲線が、その隣り合う２条の周辺（Ｄａ−Ａａ，Ａａ−Ｂａ）の中の他の１条の周辺（Ａａ−Ｂａ）の弓形曲線に重なり合う形状になっていると同時に、
正方形において隣り合う頂点（Ａａ（Ｂａ，Ｃａ，Ｄａ………））と頂点（Ｂａ（Ｃａ，Ｄａ………Ａａ））を結ぶ全ての周辺（Ａａ−Ｂａ（Ｂａ−Ｃａ，Ｃａ−Ｄａ，Ｄａ−Ａａ………））が、直線を描いた部分を含まず、
基布（１６）にパイル糸を係止してパイル（１７）を形成したパイル布帛（１８）によって表面が構成されていることを特徴とするタイルカーペット。
【請求項５】
基布（１６）の幅方向（Ｘ）において隣り合って基布（１６）の長さ方向（Ｙ）に続くパイル列（１９）とパイル列（１９’）の間の間隔（Ｇ）が１３ｍｍ以下であり、
凹部の谷底（４５）から凸部の頂端（４４）に至る波形曲線の振幅（Ｗ）が、２ｍｍ以上１５ｍｍ以下である前掲請求項４に記載のタイルカーペット。
【請求項６】
正方形において隣り合う頂点（Ａａ（Ｂａ，Ｃａ，Ｄａ………））と頂点（Ｂａ（Ｃａ，Ｄａ………Ａａ））を結ぶ各周辺（Ａａ−Ｂａ（Ｂａ−Ｃａ，Ｃａ−Ｄａ，Ｄａ−Ａａ………））が、パイル列（１９）に対して、斜め方向に向いた曲線を描いている前掲請求項４又は５に記載のタイルカーペット。
【請求項７】
凹部（１２）と凸部（１３）が複数回交互して続く波形曲線と、弓形に湾曲して突き出た凸部（４３）の弓形曲線と、弓形に湾曲して窪んだ凹部（４２）の弓形曲線の何れかである正方形の各周辺が、サインカーブを描いている前掲請求項１〜６の何れか１項に記載のタイルカーペット。
【請求項８】
凹部（１２）と凸部（１３）が複数回交互して続く波形曲線と、弓形に湾曲して突き出た凸部（４３）の弓形曲線と、弓形に湾曲して窪んだ凹部（４２）の弓形曲線の何れかにおける凸部の頂端（１４、４４）から凹部の谷底（１５、５５）に移動する過程で振幅（Ｗ）を二等分する中立軸（Ｉ−Ｉ’）と、パイル列（１９）が平行である場合に、
そのパイル列（１９）と、正方形の各周辺が１回だけ交叉する前掲請求項１〜７の何れか１項に記載のタイルカーペット。
【発明の詳細な説明】
【技術分野】
【０００１】
本発明は、床敷物を多角形に裁断して構成されるタイルカーペットに関するものである。
【背景技術】
【０００２】
従来、タイルカーペットには、樹脂組成物による重厚な裏打層を積層したニードルパンチングフェルトカーペット、アキスミンスターカーペット、ウイルトンカーペット、タフテッドカーペット等の有毛布帛が使用されている（例えば、特許文献１参照）。
しかし、近時は、パイルや毛羽を有しない不織布や織編布帛（例えば、特許文献２，３参照）の他、表面が樹脂組成物の皮膜やプラフチックフィルムで構成された非繊維質床敷物もタイルカーペットに使用されている（例えば、特許文献４参照）。
正三角形、直角三角形、二等辺三角形、長方形、台形等、数種類の多角形の裁断片を組み合わせて施工するタイルカーペットも公知である（例えば、特許文献５，６参照）。
【０００３】
汎用されているタイルカーペットは、重厚な裏打層２４が積層されたタフテッドカーペットを一辺の長さが５０ｃｍの正方形に裁断して構成されており、その向き合う周辺は基布１６の長さ方向Ｙに一直線状に続くパイル列１９に平行になっている（例えば、特許文献７参照）。
このため、その平行に向き合う周辺と周辺を突き合わせて施工されたタイルカーペットの施工床面には、そのパイル列１９に平行な周辺と周辺が向き合った深い谷溝２０（目地２５）が一直線状に現れ易い（図３９と４０参照）。
何故なら、裁断口２１となるパイル列１９とパイル列１９’の間は、基布１６の露出した谷間２３になっており、向き合うパイル列１９とパイル列１９’の何れに片寄って裁断されるかによって、施工床面に現れる谷溝２０の谷幅Ｖが変化し、パイル列１９からの距離の長い裁断口同士が突き合わされる場合、その施工床面に現れる谷溝２０の最大谷幅Ｖは、タフテッドパイル布帛において隣り合うパイル列１９とパイル列１９’の間の間隔Ｇの２倍近くにもなるからである。
【０００４】
その谷溝２０を目立たないようにする方法として、裁断口２１に沿って続くタイルカーペットの周縁のパイル２２を外向き（図３９であれば、パイル２２’側）に押し倒し、その押し倒されたパイル２２の先端部によって裁断口２１を覆い隠す裁断口隠蔽法（例えば、特許文献８参照）、明度差と繊度差のあるパイルのステッチ列を交互に並べて縞模様をパイル面に描出する縞柄迷彩法（例えば、特許文献９参照）、或いは、ストライプパターンを構成する縦縞を途切れ途切れに描出する縞柄偽装法（例えば、特許文献１０参照）が提案されている。
【０００５】
しかし、裁断口隠蔽法（例えば、特許文献８参照）では、パイルを押し倒すのに手間取り、タイルカーペットがコスト高になる。縞柄迷彩法（例えば、特許文献９参照）や縞柄偽装法（例えば、特許文献１０参照）では、タイルカーペットのデザインが限定され、タイルカーペットの施工床面を多彩に彩ることは出来ない。
【０００６】
ところで、パイル布帛のパイルは、基布に対して正確に直立している訳ではなく、方向性を帯びて基布から起立している。そのため、パイル布帛のパイル面の色調は、パイル面を見る視線の方向に応じて僅かながらも変化する。
そのような視線の方向に応じてパイル面の色調が変化する色調変化現象は、”池（Ｐｏｎｄ）”（例えば、特許文献１１参照）とか”雲（Ｃｌｏｕｄ）”或いは”影（Ｓｈａｄｉｎｇ）”（例えば、特許文献１２参照）と称されている。
このようなパイル面の色調変化現象は、タイルカーペットの施工床面における谷溝２０を目立たないようにする方法に利用されている。その方法は、タイルカーペットの施工床面において隣り合うタイルカーペットのパイル列１９の方向を変える方法、即ち、タイルカーペットの縦横の方向を変える縦横交互施工法である（図４１参照）。
縦横交互施工法によると、タイルカーペットの縦横の方向を変えると、施工床面において隣り合うタイルカーペットの間の色調が僅かながらも変化し、色調の僅かな相異によって施工床面に市松模様が現れ、その市松模様に視覚が奪われる結果、タイルカーペットの間の谷溝２０が目立たなくなると言う訳である（例えば、特許文献１３参照）。
【先行技術文献】
【特許文献】
【０００７】
【特許文献１】特開平０３−２２７４６２号公報（特公平０６−４１６７２）
【特許文献２】特開２００５−０６０８８８号公報（特許第４０４２９０９号）
【特許文献３】特開２００５−１５２１５９号公報
【特許文献４】特開２０００−０７１３９４号公報（特許第３８１１８７６号）
【特許文献５】特開昭６３−１１１８２０号公報（特公平０３−４１１６６）
【特許文献６】特開平０７−０１６１４１号公報
【特許文献７】特開平０２−１３１１７１１公報（特許第２６６２８０６号）
【特許文献８】特開２００７−０２９４０５号公報
【特許文献９】特開２００６−１９７９９６号公報
【特許文献１０】特開２０１０−２５９６４９号公報
【特許文献１１】特公昭４９−２４８４０号公報
【特許文献１２】特開昭５３−７４１９０号公報（特公昭６０−１０７２３）
【特許文献１３】特開２００６−３４８４２７号公報
【発明の概要】
【発明が解決しようとする課題】
【０００８】
しかし、縦横交互施工法では、施工床面に現れる市松模様で看者の注意いを奪って谷溝２０を目立たないようにするだけであり、谷溝２０を解消することは出来ない。
【０００９】
そこで本発明は、隣り合うタイルカーペットのパイル列１９を同じ方向に揃えて施工する場合でも、その隣り合うタイルカーペットの突き合わせ箇所に谷溝２０が発生しないようにし、仮に発生しても突き合わせ箇所の裁断口２１を目立ち難くすることを第１の目的とする。
【００１０】
本発明の第２の目的は、施工床面でタイルカーペットが蛇行することなく、位置を揃えて効率的に施工し得るタイルカーペットを得ることにある。
【課題を解決するための手段】
【００１１】
本発明に係るタイルカーペット（図１と図４参照）は、可撓性床敷物を裁断して構成されて正方形に縁取られており、
その正方形において隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）が、凹部１２と凸部１３が複数回交互して続く波形曲線を描いており、
その隣り合う凸部１３と凸部１３’の間に介在する凹部１２が、その開口幅Ｋが凹部の谷底１５から凸部の頂端１４に向けて広がる末広形を形成しており、
その凸部の端縁３３が、隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）の長さ方向Ｊにおいて凹部の端縁３２に密着して凹部１２に嵌合する形状になっており、
正方形の頂点Ａ（Ｂ，Ｃ，Ｄ………）を境に隣り合う２条の周辺Ｄ−Ａ，Ａ−Ｂ（（Ａ−Ｂ，Ｂ−Ｃ），（Ｂ−Ｃ，Ｃ−Ｄ），（Ｃ−Ｄ，Ｄ−Ａ）………………）の中の１条の周辺Ｄ−Ａを回転移動するとき、その回転移動する周辺Ｄ−Ａの波形曲線が、その隣り合う２条の周辺Ｄ−Ａ，Ａ−Ｂの中の他の１条の周辺Ａ−Ｂの波形曲線に重なり合う形状になっていると同時に、
正方形において隣り合う頂点Ａ（Ｂ，Ｃ，Ｄ………）と頂点Ｂ（Ｃ，Ｄ………Ａ）を結ぶ全ての周辺Ａ−Ｂ（Ｂ−Ｃ，Ｃ−Ｄ，Ｄ−Ａ………）が、直線を描いた部分を含まず、
基布１６にパイル糸を係止してパイル１７を形成したパイル布帛１８によって表面が構成されていることを第１の特徴とする。
【００１２】
つまり、本発明は、可撓性床敷物の表面に縦縞があっても、タイルカーペットの周縁では凹部１２と凸部１３の波形曲線によって縦縞が途切れ途切れになって一対のタイルカーペットの突き合わせ箇所で裁断口２１が一直線状にはならず、又、周縁が波形曲線で象られ、その波形曲線の凹部１２と凸部１３の形状と凹部１２と凸部１３の繰り返しの周期は何れの周辺Ａ−Ｂ（Ｂ−Ｃ，Ｃ−Ｄ，Ｄ−Ａ………）においても均一であり、その凹部１２の開口部は鳩尾状の空隙あり、凹部１２と凸部１３が何らの抵抗も受けずに嵌合する形状になっており、その凹部１２と凸部１３が嵌合することで突き合わせて施工されるタイルカーペットとタイルカーペットの位置合わせが確実且つ簡便になる点に特徴がある。
【００１３】
本発明に係るタイルカーペットの第２の特徴は、上記第１の特徴に加えて、基布１６の幅方向Ｘにおいて隣り合って基布１６の長さ方向Ｙに続くパイル列１９とパイル列１９’の間の間隔Ｇが１３ｍｍ以下であり、
凹部の谷底１５から凸部の頂端１４に至る波形曲線の振幅Ｗが、２ｍｍ以上１５ｍｍ以下である点にある。
【００１４】
本発明に係るタイルカーペットの第３の特徴は、上記第１と第２の何れかの特徴に加えて、正方形において隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）が、パイル列１９に対して、斜め方向に向いた曲線を描いている点にある。
【００１５】
これらの他、タイルカーペットは、縁取られる多角形の周辺Ａ−Ｂ（Ｂ−Ｃ，Ｃ−Ｄ，Ｄ−Ａ………）の波形曲線を隣り合って形成している凹部の端縁３２の形状と凸部の端縁３３の形状が点対称形になっていても良い。
【００１６】
タイルカーペットは、凹部の谷底１５から凸部の頂端１４に至る波形曲線の振幅Ｗを２等分して隣り合う頂点と頂点を結ぶ周辺Ａ−Ｂ（Ｂ−Ｃ，Ｃ−Ｄ，Ｄ−Ａ………）の長さ方向Ｊに続く波形曲線の中立軸Ｉ−Ｉ’に対する波形曲線の凹部と凸部の端縁３２・３３に接する接線Ｓの最大傾斜角度θが５°以上３５°以下であっても良い。
【００１７】
この場合、凹部と凸部の端縁３２・３３の傾斜が緩く、突き合わせ箇所で向き合う一対のタイルカーペットを向き合う周辺の長さ方向Ｊに移動しようとすれば、格別強い抵抗を受けずに容易に移動し得る。
【００１８】
タイルカーペットは、基布１６の幅方向Ｘにおいて隣り合って基布１６の長さ方向Ｙに続くパイル列１９とパイル列１９’の間の間隔Ｇが１３ｍｍ以下であり、
多角形の周辺Ａ−Ｂ（Ｂ−Ｃ，Ｃ−Ｄ，Ｄ−Ａ………）の波形曲線の振幅Ｗがパイル列１９とパイル列１９’の間の間隔Ｇ以上でその間隔Ｇの１０倍以下である点にあっても良い。
【００１９】
タイルカーペットは、凹部の谷底１５から凸部の頂端１４に至る波形曲線の振幅Ｗが、２ｍｍ以上２０ｍｍ以下であり、
その波形曲線において隣り合う凹部１２と凹部１２’の間および凸部１３と凸部１３’の間の距離で示される波形曲線の周期Ｔが、２５ｍｍ以上２５０ｍｍ以下であり、
その波形曲線の周期Ｔが、波形曲線の振幅Ｗの４倍以上５０倍以下である点にあっても良い。
【００２０】
この場合、波形曲線の周期Ｔを波形曲線の振幅Ｗの４倍以上５０倍以下にし、凹部１２と凸部１３の繰り返し回数を４回以上５０回以下で過不足をなくし、タイルカーペットを取り扱う上で凸部１３が邪魔にならず、一対のタイルカーペットの位置を確り合わせて施工し得る。
【００２１】
本発明に係るタイルカーペットの第４の特徴は、可撓性床敷物を裁断して構成されて正方形に縁取られており、
その正方形において隣り合う頂点Ａａ（Ｂａ，Ｃａ，Ｄａ………）と頂点Ｂａ（Ｃａ，Ｄａ………Ａａ）を結ぶ各周辺Ａａ−Ｂａ（Ｂａ−Ｃａ，Ｃａ−Ｄａ，Ｄａ−Ａａ………）のうち、向き合う一対の周辺Ａａ−Ｂａ，Ｃａ−Ｄａが弓形に湾曲して突き出た凸部４３を形成し、他の向き合う一対の周辺Ｂａ−Ｃａ，Ｄａ−Ａａが弓形に湾曲して窪んだ凹部４２を形成しており、
それら向き合う一対の周辺Ａａ−Ｂ，Ｃａ−Ｄａにおいて弓形に湾曲して突き出た凸部４３の弓形曲線、および、他の向き合う一対の周辺Ｂａ−Ｃａ，Ｄａ−Ａａにおいて弓形に湾曲して窪んだ凹部４２の弓形曲線の各形状が、正方形の頂点Ａａ（Ｂａ，Ｃａ，Ｄａ………）を境に隣り合う２条の周辺Ｄａ−Ａａ，Ａａ−Ｂａ（（Ａａ−Ｂａ，Ｂａ−Ｃａ），（Ｂａ−Ｃａ，Ｃａ−Ｄａ），（Ｃａ−Ｄａ，Ｄａ−Ａａ）………………）の中の１条の周辺Ｄａ−Ａａを回転移動するとき、その回転移動する周辺Ｄａ−Ａａの弓形曲線が、その隣り合う２条の周辺Ｄａ−Ａａ，Ａａ−Ｂａの中の他の１条の周辺Ａａ−Ｂａの弓形曲線に重なり合う形状になっていると同時に、
正方形において隣り合う頂点Ａａ（Ｂａ，Ｃａ，Ｄａ………）と頂点Ｂａ（Ｃａ，Ｄａ………Ａａ）を結ぶ全ての周辺Ａａ−Ｂａ（Ｂａ−Ｃａ，Ｃａ−Ｄａ，Ｄａ−Ａａ………）が、直線を描いた部分を含まず、
基布１６にパイル糸を係止してパイル１７を形成したパイル布帛１８によって表面が構成されている点にある。
【００２２】
本発明に係るタイルカーペットの第５の特徴は、上記第４の特徴に加えて、基布１６の幅方向Ｘにおいて隣り合って基布１６の長さ方向Ｙに続くパイル列１９とパイル列１９’の間の間隔Ｇが１３ｍｍ以下であり、
凹部の谷底４５から凸部の頂端４４に至る波形曲線の振幅Ｗが、２ｍｍ以上１５ｍｍ以下である点にある。
【００２３】
本発明に係るタイルカーペットの第６の特徴は、上記第４と第５の何れかの特徴に加えて、正方形において隣り合う頂点Ａａ（Ｂａ，Ｃａ，Ｄａ………）と頂点Ｂａ（Ｃａ，Ｄａ………Ａａ）を結ぶ各周辺Ａａ−Ｂａ（Ｂａ−Ｃａ，Ｃａ−Ｄａ，Ｄａ−Ａａ………）が、パイル列１９に対して、斜め方向に向いた曲線を描いている点にある。
【００２４】
本発明に係るタイルカーペットの第７の特徴は、上記第１と第２と第３と第４と第５と第６の何れかの特徴に加えて、凹部１２と凸部１３が複数回交互して続く波形曲線と、弓形に湾曲して突き出た凸部４３の弓形曲線と、弓形に湾曲して窪んだ凹部４２の弓形曲線の何れかである正方形の各周辺が、サインカーブを描いている点にある。
【００２５】
本発明に係るタイルカーペットの第８の特徴は、上記第１と第２と第３と第４と第５と第６と第７の何れかの特徴に加えて、凹部１２と凸部１３が複数回交互して続く波形曲線と、弓形に湾曲して突き出た凸部４３の弓形曲線と、弓形に湾曲して窪んだ凹部４２の弓形曲線の何れかにおける凸部の頂端１４、４４から凹部の谷底１５、５５に移動する過程で振幅Ｗを二等分する中立軸Ｉ−Ｉ’と、パイル列１９が平行である場合に、
そのパイル列１９と、正方形の各周辺が１回だけ交叉する点にある。
【００２６】
これらの他、タイルカーペットは、可撓性床敷物を正方形Ａａ・Ｂａ・Ｃａ・Ｄａに裁断して構成されており、
その正方形において向き合う一対の対辺Ａａ−ＢａとＣａ−Ｄａの頂点ＡａとＢａを結ぶ周辺Ａａ−Ｂａと頂点ＣａとＤａを結ぶ周辺Ｃａ−Ｄａが弓形に湾曲して突き出た凸部４３を形成し、他の向き合う一対の対辺Ｂａ−ＣａとＤａ−Ａａの頂点ＢａとＣａを結ぶ周辺Ｂａ−Ｃａと頂点ＤａとＡａを結ぶ周辺Ｄａ−Ａａが弓形に湾曲して窪んだ凹部４２を形成しており、
それら向き合う一対の対辺Ａａ−Ｂａと対辺Ｃａ−Ｄａの頂点Ａａと頂点Ｂａの間と頂点Ｂａと頂点Ｃａの間で弓形に湾曲して突き出た凸部４３の弓形曲線（ＡａＢａ，ＣａＤａ）、および、他の向き合う一対の対辺Ｂａ−ＣａとＤａ−Ａａの頂点Ｂａと頂点Ｃａの間と頂点Ｄａと頂点Ａａの間で弓形に湾曲して窪んだ凹部４２の弓形曲線（ＢａＣａ，ＤａＡａ）の各形状が、正方形Ａａ・Ｂａ・Ｃａ・Ｄａの四隅の何れの頂点ＡａとＢａとＣａとＤａを中心に回転移動するときでも、その回転中心となる頂点を境に隣り合う周辺の突き出た弓形曲線（ＡａＢａ，ＣａＤａ）と窪んだ弓形曲線（ＢａＣａ，ＤａＡａ）が重なり合う形状になっていても良い。
【００２７】
複数のタイルカーペットは、可撓性床敷物を正方形Ａａ・Ｂａ・Ｃａ・Ｄａに裁断して構成されており、その正方形においてＡａ−ＢａとＢａ−ＣａとＣａ−ＤａとＤａ−Ａａの頂点ＡａとＢａを結ぶ周辺Ａａ−Ｂａと頂点ＢａとＣａを結ぶ周辺Ｂａ−Ｃａと頂点ＣａとＤａを結ぶ周辺Ｃａ−Ｄａと頂点ＤａとＡａを結ぶ周辺Ｄａ−Ａａの４辺すべてが、弓形に湾曲して突き出た凸部４３、又は、弓形に湾曲して窪んだ凹部４２の何れかを形成しており、凸部４３が４辺に形成されたあるタイルカーペットの端縁３３が、凹部４２が４辺に形成された他のタイルカーペットの端縁３２に密着して嵌合する形状になっていても良い。
更に、複数のタイルカーペットは、可撓性床敷物を裁断して構成されて多角形に縁取られており、その多角形において隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）が、凹部１２と凸部１３が複数回交互して続く波形曲線と、弓形に湾曲して突き出た凸部４３と、弓形に湾曲して窪んだ凹部４２の何れかを形成しており、各周辺Ａ−Ｂ（Ｂ−Ｃ，Ｃ−Ｄ，Ｄ−Ａ………）が、波形曲線を形成する場合は、その隣り合う凸部１３と凸部１３’の間に介在する凹部１２が、その開口幅Ｋが凹部の谷底１５から凸部の頂端１４に向けて広がる末広形を形成しており、あるタイルカーペットの周辺Ａ−Ｂ（Ｂ−Ｃ，Ｃ−Ｄ，Ｄ−Ａ………）において形成された１つの凸部１３、４３の端縁３３が、他のタイルカーペットにおいて形成された何れかの凹部１２、４２の端縁３２に密着して嵌合する形状になっていても良い。
【発明の効果】
【００２８】
本発明によると、可撓性床敷物の表面に縦縞があっても、タイルカーペットの周縁では凹部１２と凸部１３の波形曲線、弓形に湾曲して突き出た凸部４３、又は、弓形に湾曲して窪んだ凹部４２によって縦縞が途切れ途切れになって一対のタイルカーペットの突き合わせ箇所で一直線状にはならず、周辺を突き合わせて一対のタイルカーペットの突き合わせ箇所での裁断口２１が目立ち難くなる。
【００２９】
本発明によると、周縁が波形曲線等で象られ、その波形曲線の凹部１２と凸部１３の形状と凹部１２と凸部１３の繰り返しの周期は何れの周辺Ａ−Ｂ（Ｂ−Ｃ，Ｃ−Ｄ，Ｄ−Ａ………）においても均一であり、その凹部１２の開口部は鳩尾状の空隙があり、凹部１２と凸部１３が何らの抵抗も受けずに嵌合する形状になっており、その凹部１２と凸部１３が嵌合することで突き合わせて施工されるタイルカーペットとタイルカーペットの位置合わせが確実且つ簡便になる。
従って、本発明によると、位置合わせが確実で施工下地に配列されるタイルカーペットが蛇行せず、効率的に整然と施工し得るタイルカーペットが得られる。
【００３０】
本発明に係るタイルカーペットは、単に周辺を突き合わせて施工されるのではなく、その突き合わされる周辺の凹部１２と凸部１３が嵌合して密着し、周辺を突き合わせて施工されるタイルカーペットとタイルカーペットとは相互に一方が他方を施工下地に係止する機能を発揮する。
尚、接着剤を用いてタイルカーペットを施工下地に接着施工する場合、その接着剤の使用量は、多くても、少なくても良い。
【００３１】
又、接着施工時の接着剤の使用量が多い場合には、タイルカーペットを強固に施工でき、逆に、少ない場合には、施工下地から剥離することも容易になり、タイルカーペットの貼り替えによる床面の改装が容易になる。
加えて、タイルカーペットを周辺の長さ方向Ｊに移動しても、突き合わせて施工する一対のタイルカーペットの凹部１２と凸部１３が嵌合するので、互い違いにタイルカーペットを施工し、タイルカーペットの配列の変化による美観を施工床面を描出することも出来る。
【００３２】
可撓性床敷物を参考例の三角形（図１５、図１８、図２０参照）又は参考例の六角形に裁断する場合、波形曲線において隣り合う凹部の端縁３２の形状と凸部の端縁３３の形状を点対称形にしなければ、頂点Ａ（Ｂ，Ｃ，Ｄ，Ｅ，Ｆ）を境に隣り合う２条の周辺Ｆ−ＡとＡ−Ｂの中の１条の周辺Ｆ−Ａを回転移動してしも、その回転移動する周辺Ｆ−Ａの波形曲線を、その隣り合う２条の周辺Ｆ−ＡとＡ−Ｂの中の他の１条の周辺Ａ−Ｂの波形曲線に重ね合わせることは出来ない。
従って、可撓性床敷物を参考例の三角形又は六角形に裁断する場合、波形曲線において隣り合う凹部の端縁３２の形状と凸部の端縁３３の形状を点対称形にする。
【００３３】
しかし、可撓性床敷物を四角形に裁断する場合、波形曲線において隣り合う凹部の端縁３２の形状と凸部の端縁３３の形状を点対称形にしなくとも、回転移動する方向を変えることによって、例えば、頂点Ａを境に隣り合う２条の周辺Ｄ−ＡとＡ−Ｂの中の１条の周辺Ｄ−Ａを回転移動し、その回転移動する周辺Ｄ−Ａの波形曲線を、その隣り合う２条の周辺Ｄ−ＡとＡ−Ｂの中の他の１条の周辺Ａ−Ｂの波形曲線に重ね合わせることが出来る。
【００３４】
例えば、参考例の図１０と図１１に図示するタイルカーペットＨ0 の周辺Ｃ−Ｄの波形曲線と周辺Ｄ−Ａの波形曲線は、河岸段丘の形状を構成しており、凹部の谷底１５と凸部の頂端１４の間には波形曲線の振幅Ｗを二等分する平地２６と凸部の頂端１４と平地２６の間を二等分する丘陵２７があり、波形曲線の周期Ｔを二等分する中間点Ｏは平地２６にあって、凹部の端縁３２と凸部の端縁３３とは中間点Ｏを境に非点対称形になっている。
周辺Ａ−Ｂの波形曲線と周辺Ｂ−Ｃの波形曲線は、周辺Ｃ−Ｄの波形曲線と周辺Ｄ−Ａの波形曲線を中間点Ｏの回りに１８０度回転した形状になっており、周辺Ｃ−Ｄの波形曲線と周辺Ｄ−Ａの波形曲線と同様に、中間点Ｏを境に非点対称形になっている。
【００３５】
この波形曲線が非点対称形になっているタイルカーペットＨ0 を右回り（時計回り）に９０度回転すると、周辺Ａ−Ｂの波形曲線は周辺Ｄ−Ａの波形曲線には重なり合わず、周辺Ｃ−Ｄの波形曲線も周辺Ｂ−Ｃの波形曲線に重なり合わないが、周辺Ｂ−Ｃの波形曲線は周辺Ａ−Ｂの波形曲線に重なり合い、周辺Ｄ−Ａの波形曲線も周辺Ｃ−Ｄの波形曲線に重なり合う。更に、タイルカーペットＨ0 を右回りに９０度回転する。つまり、タイルカーペットＨ0 を右回りに１８０度回転すると、周辺Ａ−Ｂの波形曲線は周辺Ｃ−Ｄの波形曲線に重なり合わず、周辺Ｃ−Ｄの波形曲線も周辺Ａ−Ｂの波形曲線に重なり合わず、周辺Ｂ−Ｃの波形曲線も周辺Ｄ−Ａの波形曲線に重なり合わず、周辺Ｄ−Ａの波形曲線も周辺Ｂ−Ｃの波形曲線に重なり合わない。更に、タイルカーペットＨ0 を右回りに９０度回転する。つまり、タイルカーペットＨ0 を右回りに２７０度回転すると、周辺Ａ−Ｂの波形曲線は周辺Ｂ−Ｃの波形曲線に重なり合い、周辺Ｃ−Ｄの波形曲線も周辺Ｄ−Ａの波形曲線に重なり合うが、周辺Ｂ−Ｃの波形曲線は周辺Ｃ−Ｄの波形曲線に重なり合わず、周辺Ｄ−Ａの波形曲線も周辺Ａ−Ｂの波形曲線に重なり合わない。
【００３６】
又、参考例の図１０と図１１に図示するタイルカーペットＨ0 を左回り（反時計回り）に９０度回転すると、周辺Ａ−Ｂの波形曲線は周辺Ｂ−Ｃの波形曲線に重なり合い、周辺Ｃ−Ｄの波形曲線も周辺Ｄ−Ａの波形曲線に重なり合い、周辺Ｂ−Ｃの波形曲線は周辺Ｃ−Ｄの波形曲線に重なり合わず、周辺Ｄ−Ａの波形曲線も周辺Ａ−Ｂの波形曲線に重なり合わない。
更に、タイルカーペットＨ0 を左回りに９０度回転する。つまり、タイルカーペットＨ0 を左回りに１８０度回転すると、周辺Ａ−Ｂの波形曲線は周辺Ｃ−Ｄの波形曲線に重なり合わず、周辺Ｃ−Ｄの波形曲線も周辺Ａ−Ｂの波形曲線に重なり合わず、周辺Ｂ−Ｃの波形曲線も周辺Ｄ−Ａの波形曲線に重なり合わず、周辺Ｄ−Ａの波形曲線も周辺Ｂ−Ｃの波形曲線に重なり合わない。
更に、タイルカーペットＨ0 を左回りに９０度回転する。つまり、タイルカーペットＨ0 を左回りに２７０度回転すると、周辺Ａ−Ｂの波形曲線は周辺Ｄ−Ａの波形曲線に重なり合わず、周辺Ｃ−Ｄの波形曲線も周辺Ｂ−Ｃの波形曲線に重なり合わず、周辺Ｂ−Ｃの波形曲線は周辺Ａ−Ｂの波形曲線に重なり合い、周辺Ｄ−Ａの波形曲線も周辺Ｃ−Ｄの波形曲線に重なり合う。
【００３７】
参考例の図１２と図１３に図示するタイルカーペットＨ0 の周辺Ｃ−Ｄの波形曲線と周辺Ｄ−Ａの波形曲線は、谷底１５の長さが波形曲線の半周期（Ｔ／２）以上の広い凹部１２と頂端１４の長さが波形曲線の半周期（Ｔ／２）未満の狭い凸部１３とから構成されており、波形曲線の周期Ｔを二等分する中間点Ｏを境にして非点対称形になっている。
周辺Ａ−Ｂの波形曲線と周辺Ｂ−Ｃの波形曲線は、周辺Ｃ−Ｄの波形曲線と周辺Ｄ−Ａの波形曲線を中間点Ｏの回りに１８０度回転した形状になっており、周辺Ｃ−Ｄの波形曲線と周辺Ｄ−Ａの波形曲線と同様に、中間点Ｏを境に非点対称形になっている。
【００３８】
波形曲線が非点対称形になっているタイルカーペットＨ0 を右回りに９０度回転すると、周辺Ａ−Ｂの波形曲線は周辺Ｄ−Ａの波形曲線には重なり合わず、周辺Ｃ−Ｄの波形曲線も周辺Ｂ−Ｃの波形曲線に重なり合わないが、周辺Ｂ−Ｃの波形曲線は周辺Ａ−Ｂの波形曲線に重なり合い、周辺Ｄ−Ａの波形曲線も周辺Ｃ−Ｄの波形曲線に重なり合う。
更に、タイルカーペットＨ0 を右回りに９０度回転する。つまり、タイルカーペットＨ0 を右回りに１８０度回転すると、周辺Ａ−Ｂの波形曲線は周辺Ｃ−Ｄの波形曲線に重なり合わず、周辺Ｃ−Ｄの波形曲線も周辺Ａ−Ｂの波形曲線に重なり合わず、周辺Ｂ−Ｃの波形曲線も周辺Ｄ−Ａの波形曲線に重なり合わず、周辺Ｄ−Ａの波形曲線も周辺Ｂ−Ｃの波形曲線に重なり合わない。
更に、タイルカーペットＨ0 を右回りに９０度回転する。つまり、タイルカーペットＨ0 を右回りに２７０度回転すると、周辺Ａ−Ｂの波形曲線は周辺Ｂ−Ｃの波形曲線に重なり合い、周辺Ｃ−Ｄの波形曲線も周辺Ｄ−Ａの波形曲線に重なり合うが、周辺Ｂ−Ｃの波形曲線は周辺Ｃ−Ｄの波形曲線に重なり合わず、周辺Ｄ−Ａの波形曲線も周辺Ａ−Ｂの波形曲線に重なり合わない。
【００３９】
又、参考例の図１２と図１３に図示するタイルカーペットＨ0 を左回りに９０度回転すると、周辺Ａ−Ｂの波形曲線は周辺Ｂ−Ｃの波形曲線に重なり合い、周辺Ｃ−Ｄの波形曲線も周辺Ｄ−Ａの波形曲線に重なり合い、周辺Ｂ−Ｃの波形曲線は周辺Ｃ−Ｄの波形曲線に重なり合わず、周辺Ｄ−Ａの波形曲線も周辺Ａ−Ｂの波形曲線に重なり合わない。
更に、タイルカーペットＨ0 を左回りに９０度回転する。つまり、タイルカーペットＨ0 を左回りに１８０度回転すると、周辺Ａ−Ｂの波形曲線は周辺Ｃ−Ｄの波形曲線に重なり合わず、周辺Ｃ−Ｄの波形曲線も周辺Ａ−Ｂの波形曲線に重なり合わず、周辺Ｂ−Ｃの波形曲線も周辺Ｄ−Ａの波形曲線に重なり合わず、周辺Ｄ−Ａの波形曲線も周辺Ｂ−Ｃの波形曲線に重なり合わない。
更に、タイルカーペットＨ0 を左回りに９０度回転する。つまり、タイルカーペットＨ0 を左回りに２７０度回転すると、周辺Ａ−Ｂの波形曲線は周辺Ｄ−Ａの波形曲線に重なり合わず、周辺Ｃ−Ｄの波形曲線も周辺Ｂ−Ｃの波形曲線に重なり合わず、周辺Ｂ−Ｃの波形曲線は周辺Ａ−Ｂの波形曲線に重なり合い、周辺Ｄ−Ａの波形曲線も周辺Ｃ−Ｄの波形曲線に重なり合う。
【００４０】
このように、波形曲線において隣り合う凹部の端縁３２の形状と凸部の端縁３３の形状を非点対称形にすると、回転移動する方向と回転角度の如何によって回転移動するタイルカーペットＨ0 の凹部１２と凸部１３が周囲に配置されるタイルカーペットＨ1 ・Ｈ2 ・Ｈ3 ・Ｈ4 の凸部１３と凹部１２に嵌合したり嵌合しなかったりする。
従って、波形曲線が非点対称形のタイルカーペットＨ0 では、その凹部１２と凸部１３を周囲のタイルカーペットＨ1 ・Ｈ2 ・Ｈ3 ・Ｈ4 の凸部１３と凹部１２に嵌合させるためには、逐一タイルカーペットＨ0 を左右に回転し、周囲のタイルカーペットＨ1 ・Ｈ2 ・Ｈ3 ・Ｈ4 の凸部１３や凹部１２との嵌合具合を確かめる必要がある。
従って、表面の美観の方向性を単に縦横の方向だけではなく、縦方向の方向性に関して縦方向の前後の方向を揃えると共に、横方向の方向性に関して横方向の左右の方向をも揃えてタイルカーペットＨ0 を施工する場合は別として、縦横に僅かな方向性が認められても前後や左右には格別強い方向性の認められない一般のタイルカーペットＨ0 を施工する上では、波形曲線において隣り合う凹部の端縁３２の形状と凸部の端縁３３の形状を非点対称形にすることは好ましくない。
【００４１】
この点、波形曲線の凹部と凸部を点対称形にしたタイルカーペットＨ0 （図４、図５参照）では、左回りに回転しても右回りに回転しても、その凹部１２と凸部１３が周囲に配置されるタイルカーペットＨ1 ・Ｈ2 ・Ｈ3 ・Ｈ4 の凸部１３と凹部１２に嵌合するので、周囲のタイルカーペットＨ1 ・Ｈ2 ・Ｈ3 ・Ｈ4 に嵌合するか否かを殊更確かめる必要がなく、タイルカーペットを効率的に施工する上で好都合である。
【００４２】
一対のタイルカーペットＨo とＨ1 の向き合う周辺ＡＢと周辺ＣＤを一旦突き合わせてから一方のタイルカーペットＨo を周辺ＡＢ・ＣＤの直角方向Ｕに所要の距離ｄだけ移動して他方のタイルカーペットＨ1 との間に隙間を設けようとする場合、それらのタイルカーペットＨo ・Ｈ1 の周辺ＡＢ・ＣＤに沿った波形曲線の凹部と凸部の端縁３２・３３に接する接線Ｓの最大傾斜角度θ1 が小さければ、それらのタイルカーペットＨo ・Ｈ1 の凹部の端縁３２と凸部の端縁３３の間に出来る隙間のｄ×ｃｏｔ（θ1 ）として表示される周辺の長さ方向Ｊの距離ｆ1 （図１４ａ参照）は、その最大傾斜角度θ2 が大きいタイルカーペットＨo ’とＨ1 ’を周辺ＡＢ・ＣＤの直角方向Ｕに所要の距離ｄだけ移動した場合に凹部の端縁３２と凸部の端縁３３の間に出来る隙間のｄ×ｃｏｔ（θ2 ）として表示される周辺の長さ方向Ｊの距離ｆ2 （図１４ｂ参照）に比較して広くなる（図１４参照）。
波形曲線の凹部と凸部の端縁３２・３３に接する接線Ｓの最大傾斜角度θを３５°以下とした場合、突き合わせようとする相手側のタイルカーペットＨ1 から僅かに引き離せば、その相手側のタイルカーペットＨ1 に突き合わせようとするタイルカーペットＨo を周辺の長さ方向Ｊに移動し易くなる。
本発明に係るタイルカーペットは、そのように周辺の長さ方向Ｊに移動し易いので、周辺の長さ方向Ｊでの位置の調整が容易になり、施工下地の床面の不陸に合わせて施工し易くなる。
【００４３】
波形曲線の凹部と凸部の端縁３２・３３に接する接線Ｓの最大傾斜角度θを３５°以下とするのは、主たる目的が周辺を突き合わせて施工したタイルカーペットの突き合わせ箇所での裁断口２１を目立ち難くすることにあり、波形曲線の凹部と凸部を鋭利にして強固に接合することは目的にはならず、却って、波形曲線の凹部と凸部の端縁３２・３３に接する接線Ｓの最大傾斜角度θを３５°以上にして凹部と凸部を鋭利するときはタイルカーペットの突き合わせ箇所での裁断口２１が目立ち易くなり、目的に反する結果になるためである。
【００４４】
波形曲線の凹部と凸部の端縁３２・３３に接する接線Ｓの最大傾斜角度θが３５°以下であっても、向き合う一対のタイルカーペットの凹部１２と凸部１３を一旦嵌合させれば、その一対のタイルカーペットは周辺の長さ方向Ｊに移動せず、タイルカーペットの施工床面の性状は安定する。
特に、可撓性床敷物によって構成されるタイルカーペットでは、凹部１２と凸部１３が弾性的に突き合わされることになるので、その突き合わせ箇所に目開きが発生せず、施工下地の床面の不陸に合わせて施工し易くなり、タイルカーペットの施工床面の性状が安定する。
凹部１２と凸部１３を弾性的に突き合わせるためには格別強い可撓性は要求されず、一辺の寸法が５０ｃｍのタイルカーペットの周縁を把持して片持ち梁様に水平に支えた際に、その突き出されたタイルカーペットの先端が５ｃｍ前後撓み、又、１００ｃｍ前後の高さからコンクリートの床面に落下した際に亀裂が発生しない程度の可撓性を有する床敷物は、可撓性床敷物としてのタイルカーペットに適用することが出来る。
【００４５】
凹部の谷底１５から凸部の頂端１４に至る波形曲線の振幅Ｗを２ｍｍ以上２０ｍｍ以下とし、その波形曲線において隣り合う凹部１２と凹部１２’の間および凸部１３と凸部１３’の間の距離で示される波形曲線の周期Ｔを２５ｍｍ以上２５０ｍｍ以下とし、その波形曲線の周期Ｔを波形曲線の振幅Ｗの４倍以上５０倍以下とし、凹部１２と凸部１３の繰り返し回数が４回以上になるようにした場合は、施工箇所で突き合わされる一対のタイルカーペットの波形曲線が確りと係合する一方、凹部１２と凸部１３の繰り返し回数が５０回以下になるようにしたので、周辺から凸部１３が突き出るとしても邪魔にならず、タイルカーペットが取扱い難くなることはない。
【００４６】
可撓性床敷物としてアキスミンスターカーペット、ウイルトンカーペット、タフテッドカーペット等のパイル布帛を使用したタイルカーペットでは、その表面に突き出ているパイル１６によって周辺Ａ−Ｂ（Ｂ−Ｃ，Ｃ−Ｄ，Ｄ−Ａ………）に沿った裁断口２１が覆われ、突き合わせて施工された一対のタイルカーペットＨ0 ・Ｈ1 （Ｈ2 ・Ｈ3 ・Ｈ4 ………）の間に背隙２８（図３１参照）を設けても、その背隙２８がパイル１６に覆われて突き合わせ箇所に谷溝（２０）が発生し難くなり、突き合わせ箇所での裁断口２１が目立ち難くなる。
【００４７】
ウイルトン織機の筬で隣り合う筬羽間のゲージやタフテッド機のニードルバーで隣り合うニードル間のゲージは、吋（１吋＝２５．４ｍｍ）単位によって、５／６４吋（＝２ｍｍ）ゲージ、１／１０吋（＝２．５ｍｍ）ゲージ、１／８吋（＝３ｍｍ）ゲージ、５／３２吋（＝４ｍｍ）ゲージ、５／１６吋（＝８ｍｍ）ゲージ、１５／６４吋（＝１２ｍｍ）ゲージ………と表示されている。
ここに、５／６４吋ゲージとは、５吋につき筬羽或いはニードルが６４本配置されることを意味し、そのことは、５吋につきパイル列が６４条形成されること、即ち、５／６４吋（＝２ｍｍ）間隔でパイル列が形成されることを意味する。
又、１／１０吋ゲージとは、１吋につき筬羽或いはニードルが１０本配置されることを意味し、そのことは、１吋につきパイル列が１０条形成されること、即ち、１／１０吋（＝２．５ｍｍ）間隔でパイル列が形成されることを意味する。
１／８吋ゲージとは、１吋につき筬羽或いはニードルが８本配置されることを意味し、そのことは、１吋につきパイル列が８条形成されること、即ち、１／８吋（＝３ｍｍ）間隔でパイル列が形成されることを意味する。
５／３２吋ゲージとは、５吋につき筬羽或いはニードルが３２本配置されることを意味し、そのことは、５吋につきパイル列が３２条形成されること、即ち、５／３２吋（＝４ｍｍ）間隔でパイル列が形成されることを意味する。
５／１６吋ゲージとは、５吋につき筬羽或いはニードルが１６本配置されることを意味し、そのことは、５吋につきパイル列が１６条形成されること、即ち、５／１６吋（＝８ｍｍ）間隔でパイル列が形成されることを意味する。
１５／３２吋ゲージとは、１５吋につき筬羽或いはニードルが３２本配置されることを意味し、そのことは、１５吋につきパイル列が３２条形成されること、即ち、１５／３２吋（＝１２ｍｍ）間隔でパイル列が形成されることを意味する。
【００４８】
パイル列１９とパイル列１９’の間の間隔Ｇを１３ｍｍ以下とし、その間隔Ｇが波形曲線の振幅Ｗの１０倍以下にすることを実施態様としている。
このことは、１５吋につき筬羽或いはニードルが３２本以上配置されているウイルトン織機やタフテッド機を使用して製造され、パイル列が横幅１５吋につき３２条以上形成されており、パイル列の間隔Ｇが１３ｍｍ以下のパイル布帛をタイルカーペットの表地に使用すること、即ち、具体的に言えば、パイル列の間隔Ｇが２ｍｍ（５吋／６４）、２．５ｍｍ（１吋／１０）、３ｍｍ（１吋／８）、４ｍｍ（５吋／３２）、８ｍｍ（５吋／１６）、１２ｍｍ（１５吋／６４）の何れかのパイル布帛をタイルカーペットの表地に使用することを意味する。
その場合、波形曲線の振幅Ｗをパイル列の間隔Ｇ以上でパイル列の間隔Ｇの１０倍以下にすれば、パイル列の１列〜１０列が波形曲線に分断され、その１列〜１０列のパイル列が一対のタイルカーペットの突き合わせ箇所で途切れ途切れになって現れる。
【００４９】
従って、タイルカーペットの何れかの周辺Ａ−Ｂ（Ｂ−Ｃ，Ｃ−Ｄ，Ｄ−Ａ………）を基布１６の長さ方向Ｙに平行に続くパイル列１９に平行にパイル布帛を裁断しても、突き合わせて施工された一対のタイルカーペットの突き合わせ箇所に、その周辺Ａ−Ｂ（Ｂ−Ｃ，Ｃ−Ｄ，Ｄ−Ａ………）に沿って途切れ途切れになった周縁パイル２２が現れて、その突き合わせ箇所に谷溝（２０）が発生し難く、その突き合わせ箇所での裁断口２１が目立ち難くなる（図１と図２と図３参照）。
【００５０】
可撓性床敷物を正方形Ａａ・Ｂａ・Ｃａ・Ｄａに裁断して構成され、その正方形において向き合う一対の対辺Ａａ−ＢａとＣａ−Ｄａの頂点ＡａとＢａを結ぶ周辺Ａａ−Ｂａと頂点ＣａとＤａを結ぶ周辺Ｃａ−Ｄａが弓形に湾曲して突き出た凸部４３を形成し、他の向き合う一対の対辺Ｂａ−ＣａとＤａ−Ａａの頂点ＢａとＣａを結ぶ周辺Ｂａ−Ｃａと頂点ＤａとＡａを結ぶ周辺Ｄａ−Ａａが弓形に湾曲して窪んだ凹部４２を形成しており、
それら向き合う一対の対辺Ａａ−Ｂａと対辺Ｃａ−Ｄａの頂点Ａａと頂点Ｂａの間と頂点Ｂａと頂点Ｃａの間で弓形に湾曲して突き出た凸部４３の弓形曲線（ＡａＢａ，ＣａＤａ）、および、他の向き合う一対の対辺Ｂａ−ＣａとＤａ−Ａａの頂点Ｂａと頂点Ｃａの間と頂点Ｄａと頂点Ａａの間で弓形に湾曲して窪んだ凹部４２の弓形曲線（ＢａＣａ，ＤａＡａ）の各形状が、正方形Ａａ・Ｂａ・Ｃａ・Ｄａの四隅の何れの頂点ＡａとＢａとＣａとＤａを中心に回転移動するときでも、その回転中心となる頂点を境に隣り合う周辺の突き出た弓形曲線（ＡａＢａ，ＣａＤａ）と窪んだ弓形曲線（ＢａＣａ，ＤａＡａ）が重なり合う形状になっているタイルカーペットＲと、
可撓性床敷物を矩形に裁断して構成され、その矩形において隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）が、凹部１２と凸部１３が複数回交互して続く波形曲線を描いており、その隣り合う凸部１３と凸部１３’の間に介在する凹部１２が、その開口幅Ｋが凹部の谷底１５から凸部の頂端１４に向けて広がる末広形を形成しており、その凸部の端縁３３が、隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）の長さ方向Ｊにおいて凹部の端縁３２に密着して凹部１２に嵌合する形状になっており、且つ、その凹部１２に前記タイルカーペットＲの凸部４３が嵌合し、その凸部１３に前記タイルカーペットＲの凹部４２が嵌合するタイルカーペットＨを併用する参考例の場合は、
タイルカーペットＲの弓形凸部４３とタイルカーペットＨの波形曲線の凹部１２に嵌合させて密着させ、その弓形凹部４２がタイルカーペットＨの波形曲線の凸部１３に嵌合させて密着させ、タイルカーペットＨの周辺に複数のタイルカーペットＲを突き合わせて施工することにより、（１）  タイルカーペットＨの周辺を複数のタイルカーペットＲによって縁取り、（２）  複数のタイルカーペットＲを突き合わせてタイルカーペットＨを形成し、或いは、（３）  タイルカーペットＨを施工した施工床面の周囲に発生した隙間に複数のタイルカーペットＲを突き合わせて敷き詰めて、施工床面を美しく仕上げることも可能になる（図３３参照）。
【００５１】
又、参考例の図３８に示したように、タイルカーペットＲとタイルカーペットＨに加えて、複数のタイルカーペットＲ・Ｒ………の凹部４２と凸部４３が嵌合して凹部の弓形曲線（ＢａＣａ，ＤａＡａ）と凸部の弓形曲線（ＡａＢａ，ＣａＤａ）が重なり合った形状に裁断されたタイルカーペットＲ−２を併用するときは、タイルカーペットＲ−２がタイルカーペットＲよりもサイズが大きいので、施工時にタイルカーペットＨのサイズが調整し易く、サイズが小さいタイルカーペットＲによって、タイルカーペットＲ−２によっては調整し得ないタイルカーペットＨのサイズを細かく調整することが出来るので、施工床面を効率的に仕上げることも可能になる。
そして、タイルカーペットＲ−２の輪郭を形作るタイルカーペットＲ・Ｒ………の組合せ個数や配列を変えて、タイルカーペットＲ−２の形状を＋字形やＩ字形、Ｌ字形、Ｔ字形、Ｈ字形、Ｕ字形等にするときは、その形の異なる種々のタイルカーペットＲ−２と、サイズが異なる種々のタイルカーペットＨとサイズが小さいタイルカーペットＲを組み合わせて施工床面を一層美しく仕上げることが可能になる。
更に、参考例の図３８には、上述したような、弓形凹部４２と弓形凸部４３の両方を持つタイルカーペットＲ以外にも、正方形の４辺Ａａ−ＢａとＢａ−ＣａとＣａ−ＤａとＤａ−Ａａのすべてが弓形凹部４２である参考例のタイルカーペットＡ（図３４参照）や、正方形の４辺Ａａ−ＢａとＢａ−ＣａとＣａ−ＤａとＤａ−Ａａのすべてが弓形凸部４３である参考例のタイルカーペットＢ（図３５参照）などの他、正方形の４辺Ａａ−ＢａとＢａ−ＣａとＣａ−ＤａとＤａ−Ａａのうち１辺だけが弓形凸部４３で他の３辺が弓形凹部４２である参考例のタイルカーペットＣ（図３６参照）や、逆に、正方形の４辺Ａａ−ＢａとＢａ−ＣａとＣａ−ＤａとＤａ−Ａａのうち１辺だけが弓形凹部４２で他の３辺が弓形凸部４３である参考例のタイルカーペットＤ（図３７参照）であったり、これらタイルカーペットＣ、Ｄが組み合わさって長方形状になったタイルカーペットＥ、Ｆなどの参考例のカーペットを組み合わせて施工床面をより一層美しく仕上げることが可能になる。
【図面の簡単な説明】
【００５２】
【図１】本発明に係るタイルカーペットの要部斜視図である。
【図２】本発明に係るタイルカーペットの施工床面の要部拡大平面図であり、パイル列を明示するためにパイルの先端部分を省略してパイルの根元部分だけを図示している。
【図３】本発明に係るタイルカーペットの施工床面の要部拡大平面図であり、パイル列を明示するためにパイルの先端部分を省略してパイルの根元部分だけを図示している。
【図４】本発明に係るタイルカーペットの平面図である。
【図５】図４に図示するタイルカーペットの要部拡大平面である。
【図６】参考例に係るタイルカーペットの平面図である。
【図７】図６に図示するタイルカーペットの要部拡大平面である。
【図８】参考例に係るタイルカーペットの平面図である。
【図９】図８に図示するタイルカーペットの要部拡大平面である。
【図１０】参考例に係るタイルカーペットの平面図である。
【図１１】図１０に図示するタイルカーペットの要部拡大平面である。
【図１２】参考例に係るタイルカーペットの平面図である。
【図１３】図１２に図示するタイルカーペットの要部拡大平面である。
【図１４】本発明に係るタイルカーペットの施工床面の要部拡大平面図である。
【図１５】参考例に係るタイルカーペットの平面図である。
【図１６】図１５に図示するタイルカーペットの施工床面の平面図である。
【図１７】図１５に図示するタイルカーペットの裁断直前の床敷物の平面図であり、裁断口の設定位置を床敷物の表面に表示している。
【図１８】参考例に係るタイルカーペットの平面図である。
【図１９】図１８に図示するタイルカーペットの施工床面の平面図である。
【図２０】参考例に係るタイルカーペットの施工床面の平面図である。
【図２１】参考例に係るタイルカーペットの平面図である。
【図２２】図２１に図示するタイルカーペットの施工床面の平面図である。
【図２３】図２１に図示するタイルカーペットの施工過程の要部拡大平面図であり、分図２３（ａ）は突き合わせ直前のタイルカーペットの周縁を図示し、分図２３（ｂ）は突き合わせ直後のタイルカーペットの周縁を図示している。
【図２４】参考例に係るタイルカーペットの平面図である。
【図２５】図２４に図示するタイルカーペットの施工床面の平面図である。
【図２６】参考例に係るタイルカーペットの平面図である。
【図２７】図２６に図示するタイルカーペットの施工床面の平面図である。
【図２８】参考例に係るタイルカーペットの平面図である。
【図２９】図２８に図示するタイルカーペットの施工床面の平面図である。
【図３０】参考例に係るタイルカーペットの平面図である。
【図３１】本発明に係るタイルカーペットの要部拡大平面図である。
【図３２】本発明に係るタイルカーペットの平面図である。
【図３３】四角形の各周辺が凹部と凸部が複数回交互して続く波形曲線を描いたタイルカーペットと、図３２に図示するタイルカーペットとの組合せ施工床面の平面図である。
【図３４】参考例に係るタイルカーペットの平面図である。
【図３５】参考例に係るタイルカーペットの平面図である。
【図３６】参考例に係るタイルカーペットの平面図である。
【図３７】参考例に係るタイルカーペットの平面図である。
【図３８】四角形の各周辺が凹部と凸部が複数回交互して続く波形曲線を描いたタイルカーペットと、図３２に図示するタイルカーペットと、図３４〜３７に図示するタイルカーペット等の組合せ施工床面の平面図である。
【図３９】従来のタイルカーペットの施工床面の平面図である。
【図４０】従来のタイルカーペットの施工床面の要部拡大斜視図である。
【図４１】従来のタイルカーペットの施工床面の要部拡大平面図であり、パイル列を明示するために、パイルの先端部分を省略してパイルの根元部分だけを図示している。
【発明を実施するための形態】
【００５３】
基布１６にパイル糸を係止してパイル１７を形成したパイル布帛１８を多角形に裁断してタイルカーペットを製造する場合、裁断された多角形において隣り合う頂点Ａ（Ｂ，Ｃ，Ｄ………）と頂点Ｂ（Ｃ，Ｄ………Ａ）を結ぶ何れかの周辺Ａ−Ｂ（Ｂ−Ｃ，Ｃ−Ｄ，Ｄ−Ａ………）を、基布１６の長さ方向Ｙに平行に揃えるとよい。
【００５４】
そのように、周辺Ａ−Ｂ（Ｂ−Ｃ，Ｃ−Ｄ，Ｄ−Ａ………）をパイル列１９に平行に裁断しても（図２参照）、凹部１２と凸部１３の波形曲線によって基布の露出した谷間２３と周縁のパイル列１９ａが途切れ途切れになって一対のタイルカーペットの突き合わせ箇所で一直線状に連続せず、途切れ途切れになった谷間２３と周縁のパイル列１９ａが平行に向き合う周辺Ａ−Ｂと周辺Ｃ−Ｄの間で交互するので、周辺を突き合わせて一対のタイルカーペットの突き合わせ箇所での裁断口２１が目立ち難くなる。
これは、周辺Ａ−Ｂ（Ｂ−Ｃ，Ｃ−Ｄ，Ｄ−Ａ………）をパイル列１９に垂直に裁断したものと、パイル列１９に平行に裁断したものを付き合わせる場合（図３参照）も、凹部１２と凸部１３の波形曲線によって基布の露出した谷間２３と周縁のパイル列１９ａが途切れ途切れになって一対のタイルカーペットの突き合わせ箇所で一直線状に連続しないことは同様で、やはり、途切れ途切れになった谷間２３と周縁のパイル列１９ａが平行に向き合う周辺Ａ−Ｂと周辺Ｃ−Ｄの間で交互するので、周辺を突き合わせて一対のタイルカーペットの突き合わせ箇所での裁断口２１が目立ち難くなる。
【００５５】
多角形に裁断されて隣り合う頂点Ａ（Ｂ，Ｃ，Ｄ………）と頂点Ｂ（Ｃ，Ｄ………Ａ）を結んで象られるタイルカーペットとしては、参考例の正三角形（図１５参照）、参考例の直角三角形（図１８参照）、参考例の二等辺三角形（図２０参照）、正方形（図４、図５参照）、参考例の長方形（図２１参照）、参考例の菱形（図２４参照）、参考例の台形（図２６参照）、或いは、参考例の正六角形（図２８参照）がある。
【００５６】
床敷物を正方形（図４、図５参照）ではなく、参考例の直角三角形に裁断されたタイルカーペットでは（図１８参照）、一対のタイルカーペットＨ0 ・Ｈ1 の向きを反転させて斜辺Ａ−Ｃと斜辺Ａ−Ｃを突き合わせて長方形のタイルカーペットを組み立て、或いは、一対のタイルカーペットＨ0 ・Ｈ1 の向きを反転させて底辺Ａ−Ｂと底辺Ｂ−Ａを突き合わせて平行四辺形のタイルカーペットを組み立て、或いは又、一つのタイルカーペットの周囲に三つのタイルカーペットＨ1 ・Ｈ2 ・Ｈ3 を配置して寸法が２倍の直角三角形を施工床面に表現することが出来る（図１９参照）。
参考例の二等辺三角形に裁断されたタイルカーペットでは、一つの頂点Ａを中心に六つのタイルカーペットＨ0 ・Ｈ1 ・Ｈ2 ・Ｈ3 ・Ｈ4 ・Ｈ5 を放射状に配置して細長六角形模様を施工床面に表現することが出来る（図２０参照）。
参考例の長方形に裁断されたタイルカーペットでは（図２１参照）、短い周辺Ａ−Ｂと周辺Ｃ−Ｄを突き合わせた一対のタイルカーペットＨ0 ・Ｈ1 の左右に他のタイルカーペットＨ2 ・Ｈ3 を突き合わせて十字形模様を施工床面に表現することが出来る（図２２参照）。
参考例の菱形に裁断されたタイルカーペットでは（図２４参照）、一つのタイルカーペットＨ0 の周囲の四つの周辺Ａ−Ｂ・Ｂ−Ｃ・Ｃ−Ｄ・Ｄ−Ａに四つのタイルカーペットＨ1 ・Ｈ2 ・Ｈ3 ・Ｈ4 の周辺を突き合わせて斜め格子模様を施工床面に表現することが出来る（図２５参照）。
参考例の台形に裁断されたタイルカーペットでは（図２６参照）、一対のタイルカーペットＨ0 ・Ｈ1 の向きを交互に変えて斜辺Ｂ−Ｃと斜辺Ｄ−Ａを突き合わせ、それら一対のタイルカーペットＨ0 ・Ｈ1 の平行に向き合う二つの周辺Ａ−ＢとＣ−Ｄが斜め方向に平行に続く斜め横縞模様を施工床面に表現することが出来る（図２７参照）。
このような形に裁断されたタイルカーペットを組み合わせて施工床面に変化の富んだデザインを表現することが可能となる。
【００５７】
既に説明したように、従来、正方形に裁断されたタイルカーペットを、その縦横の方向を変えて施工し、その縦横の色調の僅かな変化を利用して、市松模様を施工床面に表現することが行われていた。
しかし、パイル面の色調は、パイル布帛の縦横だけではなく、左右斜め方向でも変化する。
即ち、パイル布帛を参考例の三角形状や六角形状に裁断したタイルカーペットでは、その何れかの周辺Ａ−Ｂが基布の幅方向（Ｘ）か長さ方向（Ｙ）に平行になるだけではなく、その何れかの周辺Ｂ−Ｃは基布の左斜め方向に平行になり、又、その何れかの周辺Ｃ−Ｄは基布の右斜め方向に平行になる。
その結果、パイル布帛を参考例の三角形状や六角形状に裁断されたタイルカーペットは、パイル列１９を縦または横向きに向けて施工することが出来るだけでなく、パイル列１９を左斜め方向に向けて施工することも出来、又、パイル列１９を右斜め方向に向けて施工することも出来る。
従って、パイル列１９を縦または横向きに向けたタイルカーペットＨＡとパイル列１９を左斜め方向に向けたタイルカーペットＨＢとパイル列１９を右斜め方向に向けたタイルカーペットＨＣを組み合わせることによって、ハニカム（蜂巣）模様をタイルカーペットの施工床面に表現することも可能となる（図１６と図２９参照）。尚、図１７には、裁断直前の床敷物の平面図であり、裁断口２１の設定位置を床敷物の表面に表示している。
【００５８】
タイルカーペットの周囲を縁取る波形曲線は、凹部の端縁３２と凸部の端縁３３の形状が弯曲し、その凹部の端縁３２の弯曲線と凸部の端縁３３の弯曲線が共通接線に接して続くサインカーブにするとよい。
【００５９】
タイルカーペットの周囲を縁取る波形曲線をサインカーブにすると、突き合わせて施工した一対のタイルカーペットの突き合わせ箇所で波形曲線が目立たず、突き合わせ箇所での裁断口２１が目立ち難くなる。
その波形曲線の凸部の端縁３３が弯曲していれば、流通過程で凸部１３の頂端１４が擦られたり突き当たって欠落することがなく、凹部の端縁３２が弯曲していれば、凹部の谷底１５に塵埃が固着して汚染することもなく、流通過程でタイルカーペットの商品価値が保たれる。
【００６０】
尚、本発明に言う”サインカーブ”とは、Ｘ軸とＹ軸が直交する直角座標の原点を中心に軸桿を回転して半径Ｒの円を描く場合において、その軸桿のＸ軸に対する傾斜角度ωを変数とする関係式ｙ＝Ｒ×ｓｉｎωによって表示される軸桿の先端のＸ軸からの距離（ｙ）を示す曲線として描かれる代数幾何学上での波形曲線ではなく、湾曲した凹部の端縁３２の曲線と凸部の端縁３３の曲線を共通接線で結んで描かれる波形曲線を意味し、それには、関係式ｙ＝Ｒ×ｓｉｎωによって表示される代数幾何学上での波形曲線も包含され、又、凸部の頂端部分を切削して曲率半径Ｍを谷底１５に接する凸部の曲率半径Ｎよりも大きくした波形曲線（図３１）も包含される。
【００６１】
図５に図示するタイルカーペットの周辺の波形曲線の凹部と凸部の端縁３２・３３に接する接線Ｓの最大傾斜角度θは３０°４０′になっているが、参考例の図７と図９と図１１と図１３に図示するタイルカーペットの周辺の波形曲線の凹部と凸部の端縁３２・３３に接する接線Ｓの最大傾斜角度θは５３°（図７と図９参照）乃至７１°（図１１参照）になっている。
又、図４と、参考例の図６と図８と図１０と図１２と図１５と図２１と図２４と図２６に図示するタイルカーペットの周辺の寸法Ｌに対する波形曲線の振幅Ｗの比率は２．７％（図１２参照）乃至８．８％（図１８参照）になっており、波形曲線の振幅Ｗが１５ｍｍ以上の観をていしている。
そのように、それらの図において、波形曲線の凹部と凸部の端縁３２・３３に接する接線Ｓの最大傾斜角度θは３５°以上に描かれ、波形曲線の振幅Ｗは１５ｍｍ以上の観を呈している。
しかし、それらの図は、タイルカーペットを縁取る多角形の各周辺が凹部１２と凸部１３が交互して続く波形曲線になっていることを明示するものであり、凹部と凸部の端縁３２・３３に接する接線Ｓの最大傾斜角度θを５°以上３５°以下であり、波形曲線の振幅Ｗを２ｍｍ以上２０ｍｍ以下にすべきことを図示するものではない。
【００６２】
先にも明記した通り、本発明は、波形曲線の凹部と凸部を鋭利にして突き合わせて施工した一対のタイルカーペットの強固に接合することを目的とするものではなく、突き合わせて施工したタイルカーペットの突き合わせ箇所を目立ち難くすることを目的とする。
その突き合わせ箇所を目立ち難くするためには、波形曲線の凹部と凸部の端縁３２・３３に接する接線Ｓの最大傾斜角度θを３５°を超えて大きくする必要はない。
その最大傾斜角度θを５°以上３５°以下にすることは、本発明の実施態様である。
本発明の好ましい実施態様は、その最大傾斜角度θを１０°以上２５°以下に、更に好ましくは１０°以上２０°以下に、概して１５°前後にすることである。
尚、本発明において”波形曲線の凹部と凸部の端縁に接する接線Ｓの最大傾斜角度θ”とは、波形曲線に接する接線が凸部の頂端１４から凹部の谷底１５に移動する過程で波形曲線の振幅Ｗを二等分する波形曲線の中立軸Ｉ−Ｉ’に交叉する交叉角度が最大となる角度を意味し、図１と図５と図１４に図示するように波形曲線がサインカーブを描いていれば、そのサインカーブと中立軸Ｉ−Ｉ’との交点（Ｏ）において波形曲線に接する接線Ｓと中立軸Ｉ−Ｉ’との交叉角度が最大傾斜角度θに該当し、参考例の図９と図１１と図１３に図示するように波形曲線が折れ線を描いていれば、その折れ線の頂端１４から谷底１５に続く斜線と中立軸Ｉ−Ｉ’との交叉角度が最大傾斜角度θに該当する。
波形曲線の凹部と凸部の端縁３２・３３の輪郭は、図１と図５と図１４に図示するように弯曲線である。尚、参考例は、図９と図１１と図１３に図示するように折れ線であってもよい。
本発明に言う”凹部の末広形”とは、凹部の谷底１５を間に挟んで向き合う端縁３２・３３と端縁３２・３３の間の凹部の開口幅が、谷底１５から隣り合う凸部の頂端１４と頂端１４に至るまで次第に広くなる凹部の形状を意味し、図１と図５と図１４に図示するように端縁３２・３３が弯曲線で描かれる凹部の最大開口幅Ｋは波形曲線の周期Ｔに等しくなり（Ｋ＝Ｔ）、凸部が台形状を成す凹部の最大開口幅Ｋは波形曲線の周期Ｔよりも狭くなる（Ｋ＜Ｔ）。
【００６３】
波形曲線の振幅Ｗは、タイルカーペットのサイズによっても変わり、振幅Ｗが同じでもタイルカーペットのサイズが大きければ波形曲線は目障りにならず、タイルカーペットのサイズが小さければ波形曲線は左程目障りにはなちない。
この点に関して、タイルカーペットを試作して実験すると、タイルカーペットの周辺の寸法Ｌに対する波形曲線の振幅Ｗの比率（１００×Ｗ／Ｌ）を１％以上３％以下に、好ましくは１％以上２．５％以下に、更に好ましくは２％前後即ち１．７％以上２．３％以下にすると、波形曲線の凹部１２と凸部１３が目障りにならず、施工したタイルカーペットの突き合わせ箇所の裁断口２１が目立ち難くなる。
【００６４】
施工されたタイルカーペットが周辺の長さ方向Ｊに移動せず、タイルカーペットの施工床面の性状を安定にするには、前記の通り、各周辺の長さ方向Ｊに沿って凹部１２と凸部１３が４回以上繰り返し連続し、突き合わせて施工した一対のタイルカーペットの各周辺の４個以上の凹部１２と凸部１３を嵌合させることが好ましい本発明の好ましい実施態様となる。
この点に関し、参考例の図１８に図示する直角三角形のタイルカーペットと参考例の図２１に図示する長方形のタイルカーペットでは、一周辺に設けられている凹部１２と凸部１３の数はそれぞれ３個になっている。
尚、図１８は直角三角形のタイルカーペットは参考例となることを図示し、図２１は長方形のタイルカーペットは参考例となることを図示するものであり、図１８と図２１は、一周辺に凹部１２と凸部１３をそれぞれ３個設けるべきことを図示するものではない。
特に、参考例の図１８は、直角三角形の三周辺の長さの比を３対４対５を図示するものであり、実際に形成される直角三角形のタイルカーペットの周辺（Ａ−Ｂ）の凹部と凸部の数は３個の整数倍になり、周辺（Ｂ−Ｃ）の凹部と凸部の数は４個の整数倍になり、周辺（Ｃ−Ａ）の凹部と凸部の数は５個の整数倍になる。
【００６５】
突き合わせて施工する一対のタイルカーペットＨ0 ・Ｈ1 （Ｈ2 ・Ｈ3 ・Ｈ4 ………）の向き合う凹部１２と凸部１３とは、それらの端縁３２と端縁３３が凹部１２と凸部１３の全長に亙って密着させることは必要ではなく、端縁３２の一部と端縁３３の一部を密着させただけでもよい。
特に、彎曲して突き出た凸部１３の頂端部分（１４）を削り取って凸部１３の頂端部分の湾曲線の曲率半径Ｍを彎曲して窪んだ凹部１２の谷底１５の湾曲線の曲率半径Ｎよりも大きくすると、嵌め合わせた一対のタイルカーペットＨ0 ・Ｈ1 の凹部の谷底１５と凸部の頂端１４との間に背隙２８が発生して谷底１５と頂端１４が密着しないが、一対のタイルカーペットＨ0 ・Ｈ1 の間に作用する押圧力が谷底１５と頂端１４を除く凹部１２と凸部１３の端縁３２・３３に集中し、その端縁３２と端縁３３が弾性変形して密着し、一対のタイルカーペットＨ0 ・Ｈ1 が強固に接合されることになる（図３１）。
尚、図３１において、一対のタイルカーペットＨ0 とＨ1 の間に図示する波形曲線は、その一対のタイルカーペットＨ0 とＨ1 の凹部１２と凸部１３が嵌合してそれらの端縁３２と端縁３３が密着して一体化した状態を図示している。
【００６６】
つまり、接触し合う二つの可塑性物体の中の何れか一方の物体の接触箇所が角張っていて接触面積が少なければ、その二つの可塑性物体に作用する押圧力は、その角張っていて接触面積が少ない接触箇所に集中し、その角張った接触箇所が押し潰されて平板になって接触面積が増え、その物体が接触する他方の物体に密着して一体化し、それら二つの可塑性物体の接触箇所が目立ち難くなる、と言う訳である。
【００６７】
タイルカーペットの周縁を波形曲線で縁取ることによって、周縁が多度張ってタイルカーペットが取扱い難くなることがなく、その凹部１２と凸部１３が嵌合してタイルカーペットが施工し易くなるようにするためには、凹部の谷底１５から凸部の頂端１４に至る波形曲線の振幅Ｗは２ｍｍ以上２０ｍｍ以下に、好ましくは少なくするとしても２〜６ｍｍにし、多くするとしても１５〜２０ｍｍにし、波形曲線の周期Ｔは２５ｍｍ以上２５０ｍｍ以下に、好ましくは少なくするとしても２５〜７５ｍｍにし、多くするとしても１５０〜２５ｍｍにし、振幅Ｗに対する周期Ｔの倍率（Ｔ／Ｗ）が４倍以上５０倍以下に、好ましくは７倍以上３０倍以下に、更に好ましくは１０倍以上３５倍以下にするとよい。
【００６８】
前記の通り、波形曲線において隣り合う凹部の端縁３２の形状と凸部の端縁３３の形状が非点対称形のタイルカーペットＨ0 を回転移動すると、そのタイルカーペットＨ0 の凸部１３と凹部１２は、その周囲に配置されていたタイルカーペットＨ1 ・Ｈ2 ・Ｈ3 ・Ｈ4 の凸部１３と凹部１２に嵌合しなくなる。
しかし、本発明は、縦横や左右斜め方向等、方向が変わっても周囲に配置されるタイルカーペットＨ1 ・Ｈ2 ・Ｈ3 ・Ｈ4 に嵌合するタイルカーペットを得ることを目的とするものではないので、凹部の端縁３２の形状と凸部の端縁３３の形状が非点対称形のタイルカーペットＨは、本発明の範囲から除外されない。
何故なら、凹部の端縁３２の形状と凸部の端縁３３の形状が非点対称形の三角形や六角形に裁断されたタイルカーペットでも、ジクソーパズルのように、その施工する各タイルカーペットの縦横、前後、左右および左右斜めの各方向を揃えて、裁断直後の配列状態に配置し直すことによって、隣り合うタイルカーペットの凸部１３と凹部１２を嵌合することが出来るからである。
【００６９】
凹部の端縁３２の形状と凸部の端縁３３の形状が点対称形の波形曲線は、サインカーブに限定されない。尚、参考例の波形曲線の形状は、上下反転した半円を直線で結んだ形状（図６と図７参照）でもよいし、上下反転した等脚台形を直線で結んだ形状（図８と図９参照）でもよく、又、上下反転した二等辺三角形を直線で結んだ形状（図示せず）でもよい。
【００７０】
多角形に裁断する可撓性床敷物には、ゴムシートや発泡樹脂シート、繊維間が接着された不織布等の裏打層２４や無機充填剤を多量に含む塩化ビニル樹脂組成物による裏打層２４が積層される。
【００７１】
タイルカーペットを多角形（当然、正方形を含む）に縁取る周囲の各周辺の寸法Ｌは、各周辺Ａ−Ｂ（Ｂ−Ｃ，Ｃ−Ｄ，Ｄ−Ａ………）を、凹部１２と凸部１３が複数回交互して続く波形曲線と、弓形に湾曲して突き出た凸部４３と、弓形に湾曲して窪んだ凹部４２の何れに形成した場合であっても、何れの値であっても良いが、例えば、２０ｃｍ以上１５０ｃｍ以下に、好ましくは２０ｃｍ以上９０ｃｍ以下に、更に好ましくは３０ｃｍ以上６０ｃｍ以下にする。
可撓性床敷物の裁断過程で発生する寸法が２０ｃｍ未満の裁断屑は、周辺の寸法が２０ｃｍ未満のモザイク片として裏材の上に敷き詰めて貼り合わせ、モザイクタイルカーペットとして使用することも出来る。
タイルカーペットを多角形に縁取る周囲の各周辺の全長（Ｌ）を凹部１２と凸部１３が複数回交互に繰り返して描く波形曲線としてもよい。
尚、参考例として、タイルカーペットを多角形に縁取る周囲の各周辺の一部だけを凹部１２と凸部１３が複数回交互に繰り返して描く波形曲線とすることも出来る。
例えば、正方形に裁断されるタイルカーペットの周辺Ａ−Ｂ（Ｂ−Ｃ，Ｃ−Ｄ，Ｄ−Ａ）の一部だけを波形曲線とする参考例の場合、その波形曲線は、その周辺Ａ−Ｂ（Ｂ−Ｃ，Ｃ−Ｄ，Ｄ−Ａ）の中央部分に設け、その周辺Ａ−Ｂ（Ｂ−Ｃ，Ｃ−Ｄ，Ｄ−Ａ）の両端部分は、頂点Ａ（Ｂ，Ｃ，Ｄ）で交わる直線にすることが好ましい（図３０参照）。
【００７２】
尚、周辺Ａ−Ｂ（Ｂ−Ｃ，Ｃ−Ｄ，Ｄ−Ａ………）の波形曲線がサインカーブであり、その凹部の端縁３２と凸部の端縁３３が点対称形であり、例えば、周辺の寸法Ｌが９０ｃｍ以上１５０ｃｍ以下のタイルカーペットＨを裁断して発生する寸法が２０ｃｍ以上９０ｃｍ以下の裁断屑は、裁断して周辺の寸法が２０ｃｍ以上５０ｃｍ以下のタイルカーペットとしても良い。
又、タイルカーペットとして、輪郭を、正方形Ａａ・Ｂａ・Ｃａ・Ｄａにし、その向き合う一対の対辺Ａａ−ＢａとＣａ−Ｄａの頂点ＡａとＢａを結ぶ周辺Ａａ−Ｂａと頂点ＣａとＤａを結ぶ周辺Ｃａ−Ｄａを弓形（この弓形とは、サインカーブの凸部の一部や、円弧の一部であっても良い）に湾曲して突き出た弓形凸部４３とし、他の向き合う一対の対辺Ｂａ−ＣａとＤａ−Ａａの頂点ＢａとＣａを結ぶ周辺Ｂａ−Ｃａと頂点ＤａとＡａを結ぶ周辺Ｄａ−Ａａを弓形に湾曲して窪んだ弓形凹部４２とし、その弓形凸部４３がタイルカーペットＨの波形曲線の凹部１２に嵌合して密着し、その弓形凹部４２がタイルカーペットＨの波形曲線の凸部１３に嵌合して密着するようにしても良い（図３２参照）。
【００７３】
即ち、タイルカーペットＲの周辺Ａａ−Ｂａと周辺Ｃａ−Ｄａの寸法Ｐと周辺Ｂａ−Ｃａと周辺Ｄａ−Ａａの寸法ＱをタイルカーペットＨの波形曲線の周期Ｔの半分にする（Ｐ＝Ｑ＝Ｔ／２）。
タイルカーペットＲの周辺Ａａ−Ｂａからその間の凸部４３の頂端４４に到る距離とその周辺Ａａ−Ｂａに向き合う周辺Ｃａ−Ｄａからその間の凸部４３の頂端４４に到る距離を等しくし、周辺Ｂａ−Ｃａからその間の凹部４２の谷底４５に到る距離とその周辺Ｂａ−Ｃａに向き合う周辺Ｄａ−Ａａからその間の凹部４２の谷底４５に到る距離を等しくし、且つ、その互いに向き合う周辺Ａａ−Ｂａから凸部４３の頂端４４に到る距離および周辺Ｃａ−Ｄａから凸部４３の頂端４４に到る距離ｅと、互いに向き合う周辺Ｂａ−Ｃａから凹部４２の谷底４５に到る距離および周辺Ｄａ−Ａａから凹部４２の谷底４５に到る距離ｆを、例えば、タイルカーペットＨにおける波形曲線の振幅Ｗに対しては、半分（ｅ＝ｆ＝Ｗ／２）ととらえても良い。
尚、距離ｅが、タイルカーペットＲにおいて、各周辺Ａ−Ｂ（Ｂ−Ｃ，Ｃ−Ｄ，Ｄ−Ａ………）における凹部の一番低いところ（谷底）から凸部の頂端に至る距離であることから、タイルカーペットＲにおける膨出距離（振幅Ｗ）とも捉えられる。
タイルカーペットＲの（１）  頂点Ａａと頂点Ｂａの間の突き出た弓形曲線に頂点Ａａにおいて接する接線と周辺Ａａ−Ｂａとの間の接触角度と、その頂点Ａａと頂点Ｂａの間の突き出た弓形曲線に頂点Ｂａにおいて接する接線と周辺Ａａ−Ｂａとの間の接触角度、および、その周辺Ａａ−Ｂａに向き合う周辺Ｃａ−Ｄａの頂点Ｃａと頂点Ｄａの間の突き出た弓形曲線に頂点Ｃａにおいて接する接線と周辺Ｃａ−Ｄａとの間の接触角度と、その頂点Ｃａと頂点Ｄａの間の突き出た弓形曲線に頂点Ｄａにおいて接する接線と周辺Ｃａ−Ｄａとの間の接触角度を等しくし、又、（２）  頂点Ｂａと頂点Ｃａの間の窪んだ弓形曲線に頂点Ｂａにおいて接する接線と周辺Ｂａ−Ｃａとの間の接触角度と、その頂点Ｂａと頂点Ｃａの間の窪んだ弓形曲線に頂点Ｃａにおいて接する接線と周辺Ｃａ−Ｄａとの間の接触角度、および、その周辺Ｃａ−Ｄａに向き合う周辺Ｄａ−Ａａの頂点Ｄａと頂点Ａａの間の窪んだ弓形曲線に頂点Ｄａにおいて接する接線と周辺Ｄａ−Ａａとの間の接触角度と、その頂点Ｄａと頂点Ａａの間の窪んだ弓形曲線に頂点Ａａにおいて接する接線と周辺Ｄａ−Ａａとの間の接触角度を等しくし、且つ、（３）  その等しく突き出た弓形曲線に頂点Ａａと頂点Ｂａにおいてそれぞれ接する接線と周辺Ａａ−Ｂａとの間の接触角度δおよび突き出た弓形曲線に頂点Ｃａと頂点Ｄａにおいてそれぞれ接する接線と周辺Ｃａ−Ｄａとの間の接触角度δと、その等しく窪んだ弓形曲線に頂点Ｂａと頂点Ｃａにおいてそれぞれ接する接線と周辺Ｂａ−Ｃａとの間の接触角度γおよび窪んだ弓形曲線に頂点Ｄａと頂点Ａａにおいてそれぞれ接する接線と周辺Ｄａ−Ａａとの間の接触角度γを、タイルカーペットＨの波形曲線の最大傾斜角度θと等しくする（δ＝γ＝θ）。
尚、タイルカーペットＲが、基布１６にパイル糸を係止してパイル１７を形成したパイル布帛１８によって表面が構成されている場合、パイル列１９とパイル列１９’の間の間隔Ｇが１３ｍｍ以下であったり、タイルカーペットＲの弓形凸部４３における距離ｅ（膨出距離）が、パイル列１９とパイル列１９’の間の間隔Ｇ以上でその間隔Ｇの１０倍以下であっても良い。
【００７４】
そのように、タイルカーペットＲが、タイルカーペットＨの波形曲線の凹部１２と凸部１３に嵌合して密着する参考例の場合には、タイルカーペットＨの寸法Ｌを調整する寸法調整用として、タイルカーペットＲを用いることもできる。
又、参考例として、タイルカーペットＲの弓形凸部４３がタイルカーペットＨの波形曲線の凹部１２に嵌合して密着し、その弓形凹部４２がタイルカーペットＨの波形曲線の凸部１３に嵌合して密着するようにタイルカーペットＨの周辺に複数のタイルカーペットＲを突き合わせて施工床面を美しく仕上げることも可能になる（図３３参照）。
【００７５】
参考例の図３８に示すように、タイルカーペットＨと、そのタイルカーペットＨの波形曲線の凹部１２と凸部１３に嵌合して密着するタイルカーペットＲに加え、更にサイズや形の異なるタイルカーペットＲ−２を併用しても良い。
このタイルカーペットＲ−２は、複数のタイルカーペットＲ・Ｒ………の凹部４２と凸部４３が嵌合して凹部の弓形曲線（ＢａＣａ，ＤａＡａ）と凸部の弓形曲線（ＡａＢａ，ＣａＤａ）が重なり合った形状に裁断されている。
タイルカーペットＲ−２は、タイルカーペットＲ２枚分であるため、タイルカーペットＲよりもサイズが大きい。
タイルカーペットＲ−２は、その輪郭を形作るタイルカーペットＲ・Ｒ………の組合せ個数や配列を変えて、タイルカーペットＲ−２の形状を＋字形やＩ字形、Ｌ字形、Ｔ字形、Ｈ字形、Ｕ字形等にしても良く、その形の異なる種々のタイルカーペットＲ−２と、サイズが異なる種々のタイルカーペットＨとサイズが小さいタイルカーペットＲを組み合わせて施工床面を一層美しく仕上げることが可能になる。
【００７６】
これに加えて、参考例の図３４や３５、３８に示した如く、正方形の４辺Ａａ−ＢａとＢａ−ＣａとＣａ−ＤａとＤａ−Ａａのすべてが弓形凹部４２であるタイルカーペットＡや、正方形の４辺Ａａ−ＢａとＢａ−ＣａとＣａ−ＤａとＤａ−Ａａのすべてが弓形凸部４３であるタイルカーペットＢであっても良く、この場合、少なくともタイルカーペットＡとタイルカーペットＢの２枚、つまり、複数のタイルカーペットを用いることとなる。
【００７７】
更に、参考例の図３６〜３８に示したように、タイルカーペットＡ、Ｂの他、正方形の４辺Ａａ−ＢａとＢａ−ＣａとＣａ−ＤａとＤａ−Ａａのうち１辺だけが弓形凸部４３で他の３辺が弓形凹部４２であるタイルカーペットＣや、逆に、正方形の４辺Ａａ−ＢａとＢａ−ＣａとＣａ−ＤａとＤａ−Ａａのうち１辺だけが弓形凹部４２で他の３辺が弓形凸部４３であるタイルカーペットＤであったり、これらタイルカーペットＣ、Ｄが組み合わさって長方形状になったタイルカーペットＥ、Ｆなどのカーペットを組み合わせても良い。
この場合も、少なくともタイルカーペットＣとタイルカーペットＤの２枚や、タイルカーペットＥとタイルカーペットＦと同時に、タイルカーペットＡ〜Ｄなどを用いることが出来、複数のタイルカーペットを用いることとなる。
尚、ここまで述べたタイルカーペットＲ、Ｈ、Ｒ−２、Ａ〜Ｆなどは、可撓性床敷物を裁断して構成されて多角形に縁取られており、その多角形において隣り合う頂点Ａ（Ｂ，Ｃ，Ｄ………）と頂点Ｂ（Ｃ，Ｄ………Ａ）を結ぶ各周辺Ａ−Ｂ（Ｂ−Ｃ，Ｃ−Ｄ，Ｄ−Ａ………）が、凹部１２と凸部１３が複数回交互して続く波形曲線と、弓形に湾曲して突き出た凸部４３と、弓形に湾曲して窪んだ凹部４２の何れかを形成しており、各周辺Ａ−Ｂ（Ｂ−Ｃ，Ｃ−Ｄ，Ｄ−Ａ………）が、波形曲線を形成する場合は、その隣り合う凸部１３と凸部１３’の間に介在する凹部１２が、その開口幅Ｋが凹部の谷底１５から凸部の頂端１４に向けて広がる末広形を形成していると共に、あるタイルカーペットの周辺Ａ−Ｂ（Ｂ−Ｃ，Ｃ−Ｄ，Ｄ−Ａ………）において形成された１つの凸部１３、４３の端縁３３が、他のタイルカーペットにおいて形成された何れかの凹部１２、４２の端縁３２に密着して嵌合する形状になっているという特徴を持つ。
そして、これらの形状・大きさ・凹凸の数が異なる種々のタイルカーペットを用いることによって、施工床面をより一層美しく仕上げることが可能になる。
【産業上の利用可能性】
【００７８】
本発明に係るタイルカーペットは、床面の一部に置き敷きして室内を飾るアクセントラグとし、或いは、壁面や天井、家具や建具類の表面に貼り合わせて飾る内装材として使用することが出来る。
【符号の説明】
【００７９】
１１：床敷物
１２：凹部
１３：凸部
１４：頂端
１５：谷底
１６：基布
１７：パイル
１８：パイル布帛
１９：パイル列
２０：谷溝
２１：裁断口
２２：周縁パイル
２３：谷間
２４：裏打層
２５：目地
２６：平地
２７：丘陵
２８：背隙
３２：凹部端縁
３３：凸部端縁
４２：凹部
４３：凸部
４４：頂端
４５：谷底
δ  ：傾斜角度
γ  ：傾斜角度
θ  ：傾斜角度
Ａ〜Ｆ：頂点
Ａ−Ｂ：周辺
Ｂ−Ｃ：周辺
Ｃ−Ａ：周辺
Ｃ−Ｄ：周辺
Ｄ−Ａ：周辺
Ｄ−Ｅ：周辺
Ｅ−Ｆ：周辺
Ｆ−Ａ：周辺
Ａａ・Ｂａ・Ｃａ・Ｄａ：頂点
Ａａ−Ｂａ：周辺
Ｂａ−Ｃａ：周辺
Ｃａ−Ｄａ：周辺
Ｄａ−Ａａ：周辺
Ｇ  ：パイル列間隔
Ｈ  ：大型タイルカーペット
ＨＡ：タイルカーペット
ＨＢ：タイルカーペット
ＨＣ：タイルカーペット
Ｉ  ：中立軸
Ｊ  ：周辺の長さ方向
Ｋ  ：開口幅
Ｌ  ：周辺の寸法
Ｍ  ：凸部の曲率半径
Ｎ  ：凹部の曲率半径
Ｏ  ：中間点
Ｐ  ：周辺の寸法
Ｑ  ：周辺の寸法
Ｒ  ：小型タイルカーペット
ＲＲ：中型タイルカーペット
Ｓ  ：接線
Ｔ  ：周期
Ｕ  ：周辺の直角方向
Ｖ  ：谷幅
Ｗ  ：振幅
Ｘ  ：基布幅方向
Ｙ  ：基布長さ方向
【要約】
【課題】周縁を突き合わせて効率的に施工することが出来、施工後には、その突き合わせて施工されたタイルカーペットとタイルカーペットの間の目地やパイル列１９とパイル列１９の間谷溝２０が目立ち難いタイルカーペットを得る。
【解決手段】タイルカーペットの周囲を、凹部１２と凸部１３が複数回交互して続く波形曲線によって縁取る。その波形曲線において隣り合う凸部と凸部の間に介在する凹部１２を、波形曲線において隣り合う凸部の頂部１４と頂部１４’に向けて末広がりに構成する。そのタイルカーペットの周囲を縁取る波形曲線の形状は、タイルカーペットを回転移動するとき、タイルカーペットの周囲の頂点を境に隣り合う片側の波形曲線が、その隣り合う他の片側の波形曲線に重なり合う形状に構成する。
【選択図】図１【図１】
0005413935.tif 000002
【図２】
0005413935.tif 000003
【図３】
0005413935.tif 000004
【図４】
0005413935.tif 000005
【図５】
0005413935.tif 000006
【図６】
0005413935.tif 000007
【図７】
0005413935.tif 000008
【図８】
0005413935.tif 000009
【図９】
0005413935.tif 000010
【図１０】
0005413935.tif 000011
【図１１】
0005413935.tif 000012
【図１２】
0005413935.tif 000013
【図１３】
0005413935.tif 000014
【図１４】
0005413935.tif 000015
【図１５】
0005413935.tif 000016
【図１６】
0005413935.tif 000017
【図１７】
0005413935.tif 000018
【図１８】
0005413935.tif 000019
【図１９】
0005413935.tif 000020
【図２０】
0005413935.tif 000021
【図２１】
0005413935.tif 000022
【図２２】
0005413935.tif 000023
【図２３】
0005413935.tif 000024
【図２４】
0005413935.tif 000025
【図２５】
0005413935.tif 000026
【図２６】
0005413935.tif 000027
【図２７】
0005413935.tif 000028
【図２８】
0005413935.tif 000029
【図２９】
0005413935.tif 000030
【図３０】
0005413935.tif 000031
【図３１】
0005413935.tif 000032
【図３２】
0005413935.tif 000033
【図３３】
0005413935.tif 000034
【図３４】
0005413935.tif 000035
【図３５】
0005413935.tif 000036
【図３６】
0005413935.tif 000037
【図３７】
0005413935.tif 000038
【図３８】
0005413935.tif 000039
【図３９】
0005413935.tif 000040
【図４０】
0005413935.tif 000041
【図４１】
0005413935.tif 000042